(57)【要約】      （修正有）【課題】置き場所が凹凸状態であっても、支持対象物を縦置き／横置きのどちらでも安定して置くことができ、携帯にも便利で容易に使用できる二脚型スタンドを提供する。【解決手段】枢支構造ユニット２−ａの２つの枢支構造部２−ｂに２本の支柱１−ａをそれぞれ枢結し、前記２本の支柱は、もう一方の支柱に影響されることなく前記枢支構造部にて回動自在で、前記枢支構造ユニットは連結ユニット３−ａ上に回動可能に装着し、前記連結ユニットは、支持対象物の背面に固定または脱着可能に装着できる二脚型スタンド４にすることで解決する。【選択図】図６
0003219315.tif 000002
【実用新案登録請求の範囲】
【請求項１】
連結ユニットと枢支構造ユニットと２本の支柱とからなり、前記連結ユニットは、支持対象物に固定または脱着可能に装着され、前記枢支構造ユニットは、２つの枢支構造部を有し前記連結ユニット上に水平回動可能に装着され、前記２本の支柱は、前記枢支構造ユニットの前記２つの枢支構造部にそれぞれ回動自在に枢結され、それぞれの支柱は、もう一方の支柱に影響されることなく独立して可動することを特徴とする二脚型スタンド。
【考案の詳細な説明】
【技術分野】
【０００１】
支持対象物を支持するためのスタンドに関する。
【背景技術】
【０００２】
置き場所が凹凸状態であっても、支持対象物の一番長い辺を垂直方向に置いた時（この明細において、縦置きという）、もしくは支持対象物のその他の辺を垂直方向に置いた時（この明細において、横置きという）のどちらでも安定して置くことができ、携帯にも便利で容易に使用できる支持スタンドの要望がある。
【０００３】
二脚型スタンドとしてゴルフバッグに装着する一体式ゴルフバック用スタンド（例えば、特許文献１）が提案されているが、支柱部はゴルフバック（支持対象物）に固定されているため縦置き／横置きを切り替えて使用することはできない。しかも、２本の支柱はそれぞれ独立して可動するものではなく、かつ、前記支持対象物正面から垂直方向の一方向に離れるだけの可動のみで前記支持対象物正面に対し左右に向けた可動ができないため、前記支持対象物の接地部支持点と、可動させた前記２本の支柱からなる２つの接地部支持点で作り出される３支持点の三角形は、前記支持対象物の幅に影響され、前記ゴルフバッグの幅を考慮すると前記３支持点で作り出された三角形の頂点は鋭角的となり、置き場所に凹凸があると、前記支持対象物は不安定になるという問題を有する。
【先行技術文献】
【特許文献】
【０００４】
【特許文献１】特表昭６３−５０１６２１
【考案の概要】
【考案が解決しようとする課題】
【０００５】
本考案は、置き場所が凹凸状態であっても、支持対象物を縦置き／横置きのどちらでも安定して置くことができ、携帯にも便利で容易に使用できる支持スタンドを提供すること。
【課題を解決するための手段】
【０００６】
枢支構造ユニットの２つの枢支構造部に２本の支柱をそれぞれ回動自在に枢結し、前記２本の支柱は、もう一方の支柱に影響されることなく独立して可動し、前記枢支構造ユニットは連結ユニット上に水平回動可能に装着し、前記連結ユニットは、支持対象物の背面に固定または脱着可能に装着できる二脚型スタンドにすることで解決した。
【考案の効果】
【０００７】
支持対象物の接地部支持点（6-a）と、枢支構造ユニットの２つの枢支構造部にて回動自在に枢結された２本の支柱を操作して作り出した２つの接地部支持点（6-b,6-c）で安定した３支持点（6-a,6-b,6-c）を作り出すことにより、置き場所が凹凸状態であっても前記支持対象物を安定して置くことができる。前記連結ユニット上で水平回動できる前記枢支構造ユニットを操作することで、前記支持対象物を縦置きにしても横置きにしても使用できる。前記連結ユニットは前記支持対象物に脱着可能に装着させることで携帯にも便利でしかもシンプルな構造のため容易に使用できる。
【図面の簡単な説明】
【０００８】
【図１】本考案に装着する、伸縮式支柱と折曲式支柱と伸縮折曲なし支柱の正面図である。
【図２】伸縮式支柱を装着した本考案の分解斜視図である。
【図３】伸縮式支柱を装着した本考案の正面図である。
【図４】伸縮式支柱を装着した本考案の側面図である。
【図５】伸縮式支柱を装着した本考案を縦置き支持対象物背面に装着した正面図である。
【図６】伸縮式支柱を装着した本考案を縦置き支持対象物背面に装着し、支柱を左右に開脚した正面図である。
【図７】伸縮式支柱を装着した本考案を縦置き支持対象物背面に装着し、支柱を垂直下方に伸ばした側面図である。
【図８】伸縮式支柱を装着した本考案を縦置き支持対象物背面に装着し、支柱を支持対象物から垂直方向に開脚した側面図である。
【図９】伸縮式支柱を装着した本考案を縦置き支持対象物背面に装着し、枢支構造ユニットを回動し、支持対象物を安定するよう支柱の長さ・角度を調整し、支持対象物を横置きにした正面図である。
【図１０】折曲式支柱を装着した本考案を縦置き支持対象物背面に装着した正面図である。
【図１１】折曲式支柱を装着した本考案を縦置き支持対象物背面に装着し、支持対象物を安定するよう支柱を折り曲げ調整した正面図である。
【図１２】伸縮折曲なし支柱を装着した本考案を縦置き支持対象物背面に装着した正面図である。
【図１３】伸縮折曲なし支柱を装着した本考案を縦置き支持対象物背面に装着し、支柱を左右に開脚した正面図である。
【考案を実施するための形態】
【０００９】
本考案は、置き場所が凹凸状態であっても、支持対象物を縦置き／横置きのどちらでも安定して置くことができ、携帯にも便利で容易に使用できる二脚型スタンドであり、以下実施するための形態を図面より説明する。なお、図は説明のための参考として提供するもので、支柱は伸縮式支柱を例に、支持対象物はスマートフォンを例に説明する。
【実施例】
【００１０】
図１に示すように、本考案で使用する支柱は、下部側に向かって内径が縮小するテーパー状に形成された複数本の中空パイプを連結して伸縮自在に組合わせた伸縮式支柱（1-a）と、スチールワイヤーをEVA樹脂で包み弾性変形可能な折曲式支柱（1-b）と、伸縮性なし折曲性なし一本棒の伸縮折曲なし支柱（1-c）がある。それぞれの支柱は、枢支構造ユニット（2-a）の枢支構造部（2-b）と枢結するためボール継手（1-d）を設けている。
なお、この明細において、本考案に装着する支柱により、本考案の二脚型スタンドを、本考案（伸縮式支柱）、または本考案（折曲式支柱）、または本考案（伸縮折曲なし支柱）という。
【００１１】
図２に示すように本考案は、枢支構造ユニット（2-a）の枢支構造部（2-b）に伸縮式支柱（1-a）のボール継手（1-d）をそれぞれ回動自在に枢結し、枢支構造ユニット（2-a）のボール継手（2-c）は、連結ユニット（3-a）の枢支構造部（3-b）に水平回動可能に枢結し、本考案の支持対象物への脱着は、連結ユニット（3-a）背面に設けた連結部（3-c）を介して行う。
【００１２】
図３は、本考案（伸縮式支柱）の全体正面図で、図４は図３の側面図である。
図５は、本考案（伸縮式支柱）を縦置きの支持対象物に装着した例の正面図で、図６は支持対象物の接地部支持点（6-a）と、２本の伸縮式支柱（1-a）を操作して作り出した２つの接地部支持点（6-b,6-c）で安定した３支持点を作り出した時の正面図で、図７は、図５の状態から伸縮式支柱（1-a）を垂直下方へ伸ばした状態の側面図で、図８は、図７の状態から伸縮式支柱（1-a）を支持対象物正面から垂直方向に離れるように傾斜角度を調整し安定させた状態の側面図で、図９は、図６の状態から伸縮式支柱（1-a）の長さ・角度を調整し枢支構造ユニット（2-a）を回動させ支持対象物を横置きにした正面図である。
【００１３】
図１０は、本考案（折曲式支柱）を縦置きの支持対象物に装着した正面図で、図１１は図１０の状態から折曲式支柱（1-b）を支持対象物が安定するよう折り曲げ開脚調整した状態の正面図である。
【００１４】
図１２は、本考案（伸縮折曲なし支柱）を縦置きの支持対象物に装着した例の正面図で、図１３は図１２の状態から伸縮折曲なし支柱（1-c）を支持対象物が安定するよう開脚調整した状態の正面図である。
【００１５】
なお、本考案は、この実施例によってなんら限定されるものではない。
たとえば、支持対象物であれば、支持対象物に間接的に装着する部材（例えば、携帯情報端末の保護カバー等）も含む。
連結ユニットであれば、その素材、大きさ、形状、連結部の支持対象物への脱着有無・方法（磁石、粘着性テープ、嵌着式等）、枢支構造ユニットとの装着方法（回動可能な装着等）等。
枢支構造ユニットであれば、その素材、大きさ、形状、連結ユニットとの装着方法（回動可能な装着等）等。
枢支構造部であれば、その素材、大きさ、形状、枢支構造等。
支柱であれば、その素材、大きさ、形状、伸縮式の有無・方法、折曲式の有無・方法等。
【符号の説明】
【００１６】
１−ａ  伸縮式支柱
１−ｂ  折曲式支柱
１−ｃ  伸縮折曲なし支柱
１−ｄ  ボール継手
２−ａ  枢支構造ユニット
２−ｂ  枢支構造部
２−ｃ  ボール継手
３−ａ  連結ユニット
３−ｂ  枢支構造部
３−ｃ  連結部
４      本考案の二脚型スタンド
５−ａ  支持対象物（スマートフォン本体）本体
５−ｂ  支持対象物（スマートフォン本体）のカメラ
５−ｃ  支持対象物（スマートフォン本体）のフラッシュ
６−ａ  支持対象物の接地部支持点
６−ｂ  支柱の接地部支持点
６−ｃ  支柱の接地部支持点
【図１】
0003219315.tif 000003
【図２】
0003219315.tif 000004
【図３】
0003219315.tif 000005
【図４】
0003219315.tif 000006
【図５】
0003219315.tif 000007
【図６】
0003219315.tif 000008
【図７】
0003219315.tif 000009
【図８】
0003219315.tif 000010
【図９】
0003219315.tif 000011
【図１０】
0003219315.tif 000012
【図１１】
0003219315.tif 000013
【図１２】
0003219315.tif 000014
【図１３】
0003219315.tif 000015